(57)【要約】【課題】精度の高い尿温の計測を自動的に行うことが可能な尿温測定装置を提供する。【解決手段】大便器内に排泄される被験者の尿の温度を非接触で計測する尿温測定装置であって、所定の計測方向に形成される計測領域Ｐ内から放射される赤外線を受光して計測領域Ｐ内の温度を計測する温度計測部と、前記計測方向を変更することで計測領域Ｐを移動させる計測領域移動部と、温度計測部による計測領域Ｐ内の温度の計測及び計測領域移動部による計測領域Ｐの移動を自動的に複数回繰り返すことで前記大便器内の複数個所の温度を計測し、計測された温度のうち最も高い温度を被験者１の尿の温度として決定する制御部と、を具備し、また、制御部５０は、生体ゆらぎ理論に基づくノイズを用いて、計測領域Ｐの移動後の位置を決定する。【選択図】図６
2015114181.tif 000002
【特許請求の範囲】
【請求項１】
便器内に排泄される被験者の尿の温度を非接触で計測する尿温測定装置であって、
所定の計測方向に形成される計測領域内から放射される赤外線を受光して前記計測領域内の温度を計測する温度計測部と、
前記計測方向を変更することで前記計測領域を移動させる計測領域移動部と、
前記温度計測部による前記計測領域内の温度の計測及び前記計測領域移動部による前記計測領域の移動を自動的に複数回繰り返すことで前記便器内の複数個所の温度を計測し、計測された温度のうち最も高い温度を前記被験者の尿の温度として決定する制御部と、
を具備する尿温測定装置。
【請求項２】
前記制御部は、
生体ゆらぎ理論に基づくノイズを用いて、前記計測領域の移動後の位置を決定する、
請求項１に記載の尿温測定装置。
【請求項３】
前記ノイズは正規分布に従い、
前記計測領域の移動後の位置を決定する際に用いられる前記ノイズの分散は、
当該計測領域の移動の直前に前記温度計測部によって計測された温度が高いほど小さくなると共に、当該温度が低いほど高くなるように設定される、
請求項２に記載の尿温測定装置。
【発明の詳細な説明】
【技術分野】
【０００１】
本発明は、便器内に排泄される被験者の尿の温度を非接触で計測する尿温測定装置の技術に関する。
【背景技術】
【０００２】
従来、便器内に排泄される被験者の尿の温度（尿温）を非接触で計測する尿温測定装置の技術は公知となっている。例えば、特許文献１に記載の如くである。
【０００３】
特許文献１には、第一の計測領域及び当該第一の計測領域を囲むように配設される第二の計測領域の温度を計測することが可能な温度計測手段（温度計測部）を具備する尿温測定装置が記載されている。このように構成された尿温測定装置において、便器内に第一の計測領域及び第二の計測領域が位置するように温度計測手段が配置される。
【０００４】
第二の計測領域で計測される温度が所定の温度（人体が通常取り得る最低体温）以上である場合には、当該第二の計測領域全体が被験者が排泄した尿の温度を計測していると判断することができる。この場合には、第一の計測領域でも被験者の尿温を計測する。このように第二計測領域で計測される尿温が所定の温度以上であれば、第一の計測領域及び第二の計測領域の全てで被験者の尿温を計測し、効率良く精度の高い尿温の計測が可能となる。
【０００５】
また、特許文献１に記載の尿温測定装置は、被験者が手動で計測領域（第一の計測領域及び第二の計測領域）を移動させることができるように構成されている。これによって、当該計測領域を、被験者の尿が便器内を流れる際に流通する領域（展開尿流域）に包含されるように任意に調節することができ、ひいては精度の高い尿温の計測が可能となる。このようにして計測された尿温は、被験者の体温を表すものとして体調管理等に利用することができる。
【０００６】
しかしながら、特許文献１に記載の技術では、計測領域が展開尿流域に包含されない場合には手動で計測領域を移動させる必要がある。このため、特に高齢者や子供などが被験者である場合には、手動操作が熟練しておらず、尿温の計測が困難となるおそれがある。
【先行技術文献】
【特許文献】
【０００７】
【特許文献１】特開２０１０−２３０５３３号公報
【発明の概要】
【発明が解決しようとする課題】
【０００８】
本発明は以上の如き状況に鑑みてなされたものであり、その解決しようとする課題は、精度の高い尿温の計測を自動的に行うことが可能な尿温測定装置を提供することである。
【課題を解決するための手段】
【０００９】
本発明の解決しようとする課題は以上の如くであり、次にこの課題を解決するための手段を説明する。
【００１０】
即ち、請求項１においては、便器内に排泄される被験者の尿の温度を非接触で計測する尿温測定装置であって、所定の計測方向に形成される計測領域内から放射される赤外線を受光して前記計測領域内の温度を計測する温度計測部と、前記計測方向を変更することで前記計測領域を移動させる計測領域移動部と、前記温度計測部による前記計測領域内の温度の計測及び前記計測領域移動部による前記計測領域の移動を自動的に複数回繰り返すことで前記便器内の複数個所の温度を計測し、計測された温度のうち最も高い温度を前記被験者の尿の温度として決定する制御部と、を具備するものである。
【００１１】
請求項２においては、前記制御部は、生体ゆらぎ理論に基づくノイズを用いて、前記計測領域の移動後の位置を決定するものである。
【００１２】
請求項３においては、前記ノイズは正規分布に従い、前記計測領域の移動後の位置を決定する際に用いられる前記ノイズの分散は、当該計測領域の移動の直前に前記温度計測部によって計測された温度が高いほど小さくなると共に、当該温度が低いほど高くなるように設定されるものである。
【発明の効果】
【００１３】
本発明の効果として、以下に示すような効果を奏する。
【００１４】
請求項１においては、精度の高い尿温の計測を自動的に行うことができる。
すなわち、複数個所の温度を計測し、計測された温度のうち最も高い温度は被験者の尿温に最も近い温度であると考えられる。このため、当該温度を被験者の尿温として決定することで、精度の高い尿温の計測を自動的に行うことができる。
また、被験者の性別、年齢、体型等を問わず、精度の高い尿温の計測が可能となる。さらに、同一の被験者の姿勢や体調等による変化にも対応して、精度の高い尿温の計測が可能となる。
【００１５】
請求項２においては、計測領域の位置を、より適切な位置へと素早く移動させることができる。
【００１６】
請求項３においては、計測領域の位置を、より高い温度が計測される位置へと素早く移動させることができる。
【図面の簡単な説明】
【００１７】
【図１】大便器及び尿温測定装置の構成を示した側面断面図。
【図２】大便器を示した平面図。
【図３】尿温測定装置の制御構成を示したブロック図。
【図４】尿温測定装置による尿温の計測方法を示したフロー図。
【図５】分散によるノイズの確率分布の違いを示した図。
【図６】計測領域の移動の軌跡を示した大便器の平面図。
【図７】計測領域で計測される尿温の変化を示した図。
【図８】計測領域の位置を特定するための座標の一例を示した大便器の平面図。
【発明を実施するための形態】
【００１８】
以下では、図中に示した矢印に従って、上下方向、前後方向及び左右方向をそれぞれ定義する。
【００１９】
まず、図１を用いて、本発明の一実施形態に係る尿温測定装置５が設けられる大便器の概略について説明する。
【００２０】
本実施形態に係る大便器は、腰掛けて使用することが可能な洋式の便器である。当該大便器は、主として便器本体２、ケーシング３及び便座４を具備する。
【００２１】
便器本体２は、トイレブースの床面に設置される。便器本体２の内部には、排泄された尿等を受けるための略碗状のボウル部２ａが形成される。便器本体２の後部底面には排水口２ｂが形成される。ボウル部２ａ内には、常時一定量の溜水２ｃが貯溜されている。ボウル部２ａに排泄された尿等は、溜水２ｃと共に排水口２ｂを介して排出することができる。
【００２２】
ケーシング３は、後述する尿温測定装置５や、排泄後の人の局部の洗浄等を行う洗浄装置（不図示）等を覆う箱状の部材である。ケーシング３は、便器本体２の後上部に設けられる。
【００２３】
便座４は、大便器を使用する人が腰掛けるための座面を形成する部材である。便座４は、便器本体２の上部に配置される。便座４の後端部は、ケーシング３に上下に回動可能に連結される。
【００２４】
このような大便器において、人は便座４の上に腰掛けて排泄することができる。特に、便座４に腰掛けた状態で排泄された尿は、便器本体２のボウル部２ａの前側面に落下する。図２に示すように、ボウル部２ａの前側面の尿落下位置Ｆに落下した尿は、当該尿落下位置Ｆから、ボウル部２ａの表面を左右に広がりながら後下方へと流れ、溜水２ｃ内へと流れ落ちる。このように、尿が、ボウル部２ａの前側面の尿落下位置Ｆに落下してから、溜水２ｃへと流れ落ちるまでに流通するボウル部２ａの表面上の領域（図２の二点鎖線参照）を、尿流域Ｔと称する。
【００２５】
次に、図１から図３までを用いて、尿温測定装置５の構成について説明する。
【００２６】
図１及び図３に示す尿温測定装置５は、大便器内に排泄される人の尿の温度（尿温）を非接触で計測するためのものである。なお、本実施形態においては、尿温を計測する対象となる人を、特に被験者１と称する。尿温は体温とほぼ同じ温度であるため、尿温測定装置５で計測される尿温は、被験者１の体温を表すことになる。尿温測定装置５は、主として温度計測部１０、計測領域移動部２０、操作部３０、表示部４０及び制御部５０を具備する。
【００２７】
温度計測部１０は、対象物（温度計測の対象となる物）からの赤外線を受光して、当該対象物の温度を計測するためのものである。温度計測部１０は、赤外線センサ（サーモパイル）、所定の方向（計測方向）からの赤外線を前記赤外線センサに集光させる光学系、前記赤外線センサが受光した赤外線に基づいて対象物の温度を算出する温度算出部等を具備する。温度計測部１０は、その計測方向（図１の温度計測部１０から前下方に向かって延びる二点鎖線参照）を前下方に向けられた状態で、ケーシング３内に配置される。
【００２８】
この際、温度計測部１０の計測方向は、便器本体２のボウル部２ａの前側面に向けられる。当該温度計測部１０の計測方向とボウル部２ａの前側面とが交わる部分が、温度計測部１０によって温度が計測される領域（計測領域Ｐ）となる（図２参照）。すなわち、温度計測部１０は、当該計測領域Ｐ内の対象物（ボウル部２ａの前側面又は当該前側面を流れる尿）が発する赤外線を受光し、当該対象物の温度を計測することができる。
【００２９】
計測領域移動部２０は、温度計測部１０の計測方向を変更することで当該温度計測部１０の計測領域Ｐの位置を変更（移動）させるためのものである。計測領域移動部２０は、モータ等のアクチュエータによって構成される。計測領域移動部２０は、ケーシング３内に配置され、温度計測部１０と連結される。計測領域移動部２０は、温度計測部１０を上下方向及び左右方向に揺動させることで、当該温度計測部１０の計測方向を変更することができ、ひいては計測領域Ｐを移動させることができる。
【００３０】
なお、計測領域移動部２０は、計測領域Ｐが便器本体２のボウル部２ａから逸脱しない範囲で、当該計測領域Ｐを移動させるように、当該計測領域Ｐの移動範囲が制限されているものとする。また、計測領域移動部２０としては、モータ以外にも種々のアクチュエータを用いることができ、その構成は限定されるものではない。
【００３１】
図３に示す操作部３０は、尿温測定装置５による尿温の測定を開始するための操作を行うものである。操作部３０は、適宜の操作具（例えば、押しボタンやタッチパネル等）により構成される。操作部３０は、便座４に腰掛けた被験者１から操作可能な位置（例えば、便座４の側方や、トイレブースの壁面等）に設けられる。
【００３２】
表示部４０は、尿温測定装置５による尿温の測定に関する情報を被験者１に報知するためのものである。表示部４０は、適宜の表示装置（例えば、液晶パネル等）により構成される。表示部４０は、便座４に腰掛けた被験者１から視認可能な位置（例えば、便座４の側方や、トイレブースの壁面等）に設けられる。
【００３３】
制御部５０は、種々の情報に基づいて計測領域移動部２０及び表示部４０の動作を制御するものである。制御部５０は、記憶部、演算処理部等により構成される。制御部５０には、尿温測定装置５の各機器を制御するためのプログラムや種々のデータが記憶される。
【００３４】
制御部５０は操作部３０に接続され、当該操作部３０による操作が行われたことを示す操作信号を受信することができる。
制御部５０は温度計測部１０に接続され、当該温度計測部１０で計測された温度に関する情報を受信することができる。
【００３５】
制御部５０は計測領域移動部２０に接続され、当該計測領域移動部２０の動作を制御することができる。
制御部５０は表示部４０に接続され、当該表示部４０に任意の情報を表示させることができる。
【００３６】
次に、上述の如く構成された尿温測定装置５による尿温の計測方法の概略について説明する。
【００３７】
ここで、図２に示すボウル部２ａにおいて、尿流域Ｔの温度（すなわち尿の温度）とその他の領域の温度（すなわちボウル部２ａの表面の温度）を比較すると、通常は尿温の方がボウル部２ａの温度よりも高いため、尿流域Ｔ内の温度の方が高くなる。また、同じ尿流域Ｔ内であっても、通常は尿がボウル部２ａの尿落下位置Ｆに落下してから時間が経つほど（また、尿落下位置Ｆに落下してからボウル部２ａの表面を流れた距離が長いほど）、当該尿から熱が奪われ、当該尿の温度は低下する。すなわち、被験者１の尿がボウル部２ａ内に落下した直後（すなわち、尿落下位置Ｆ）の尿温が最も高く、かつ当該被験者１の体温に最も近い温度となる。
【００３８】
したがって、温度計測部１０の計測領域Ｐを尿落下位置Ｆに合わせて、当該計測領域Ｐ内の温度を計測すれば、被験者１が排泄した直後の尿温を計測することができ、ひいては被験者１の体温を精度良く計測することができる。しかし、被験者１の尿落下位置Ｆは、当該被験者１が便座４に腰掛けた時の姿勢や、その時の体調によって変化し、さらに排泄中にも当該尿落下位置Ｆは変化するものである。よって、尿落下位置Ｆを事前に予測し、当該尿落下位置Ｆに温度計測部１０の計測領域Ｐを合わせることは困難である。
【００３９】
そこで、本実施形態に係る尿温測定装置５では、制御部５０は、温度計測部１０による計測領域Ｐ内の温度の計測と、計測領域移動部２０による計測領域Ｐの移動を複数回繰り返す。そして、計測された温度のうち、最も高い温度を被験者１の尿温として決定する。このように、制御部５０が、最も高い温度が計測される計測領域Ｐの位置を探索することで、精度の高い尿温の計測を自動的に行うことができる。
【００４０】
次に、図１、並びに図４から図７までを用いて、尿温測定装置５を用いて被験者１の尿温を計測する方法について、より詳細に説明する。
【００４１】
尿温を計測する場合、図１に示すように、まず被験者１は便座４に腰掛けて、操作部３０を操作する。制御部５０は、操作部３０が操作されると（図４のステップＳ１０１でＹｅｓ）、温度計測部１０によって計測領域Ｐ内の温度を計測して記憶する（ステップＳ１０２）。この時の計測領域Ｐの位置（初期位置）は、予め任意の位置に定めておくことができる。
【００４２】
次に、制御部５０は、計測領域Ｐの移動先（移動後の位置）を算出する（ステップＳ１０３）
【００４３】
ここで、制御部５０は、生体ゆらぎ理論を用いて計測領域Ｐの移動先を算出する。具体的には、制御部５０は以下の数１で表される式を用いて、計測領域Ｐの移動先を算出する。
【００４４】
【数１】
2015114181.tif 000003
【００４５】
なお、時刻ｔとは、具体的には温度計測部１０による計測領域Ｐ内の温度の計測回数を意味する。例えば、操作部３０が操作されて初めて計測領域Ｐ内の温度が計測された時を時刻ｔ＝１、次に計測された時を時刻ｔ＝２、とする。すなわち、上記数１は、次に計測する計測領域Ｐの位置を算出するものである。
【００４６】
ここで、上記数１のノイズは、例えば以下の数２に示すような正規分布で表される。
【００４７】
【数２】
2015114181.tif 000004
【００４８】
また、上記数２の分散は、例えば以下の数３で表される。
【００４９】
【数３】
2015114181.tif 000005
【００５０】
なお、上記数３の定数は任意に設定することができる。このように、分散は、時刻ｔにおいて計測された計測領域Ｐ内の温度が低いほど大きくなり、また時刻ｔにおいて計測された計測領域Ｐ内の温度が高いほど小さくなるように設定される。当該分散によるノイズの確率分布の違いを、図５に示している。
【００５１】
図５に示すように、ノイズは、分散が小さいほど（すなわち、計測領域Ｐ内の温度が高いほど）小さい値を取り易くなり、分散が大きいほど（すなわち、計測領域Ｐ内の温度が低いほど）大きい値を取り易くなる。
【００５２】
前述の如く、計測領域Ｐ内の温度が高いということは、当該計測領域Ｐが尿落下位置Ｆの近くに位置していると考えられる。よってこの場合は、ノイズは小さい値を取り易くなり、計測領域Ｐの移動先が現在の位置から大きく変化しないように設定されている（上記数１参照）。
【００５３】
一方、計測領域Ｐ内の温度が低いということは、当該計測領域Ｐが尿落下位置Ｆから遠く離れた位置にあると考えられる。よってこの場合は、ノイズは大きい値を取り易くなり、計測領域Ｐの移動先が現在の位置から大きく変化するように設定されている（上記数１参照）。
【００５４】
このようにして、制御部５０は計測領域Ｐの移動先を算出した後（ステップＳ１０３）、実際に計測領域移動部２０の動作を制御し、算出された移動先まで計測領域Ｐを移動させる（ステップＳ１０４）。
【００５５】
ここで、制御部５０は、被験者１の尿温の計測を終了するための条件（計測終了条件）が成立しているか否かを判定する（ステップＳ１０５）。計測終了条件は、例えば尿温の計測開始（操作部３０の操作時点）から所定の時間が経過したか否か、再度操作部３０が操作（停止操作）されたか否か等、任意に設定することができる。
【００５６】
制御部５０は、計測終了条件が成立するまで、再度計測領域Ｐ内の温度の計測及び記憶（ステップＳ１０２）、計測領域Ｐの移動先の算出（ステップＳ１０３）並びに計測領域Ｐの移動（ステップＳ１０４）を繰り返す。
【００５７】
このように、制御部５０がステップＳ１０２からステップＳ１０４までの処理を繰り返すことで、図６に示すように、計測領域Ｐが、より高い温度が検出される位置（すなわち、尿落下位置Ｆ）へと徐々に近づいていく。図７には、このように移動する計測領域Ｐで都度計測される尿温の変化を示している。
【００５８】
図７から、計測領域Ｐで検出される尿温が、尿落下位置Ｆにおける尿温に徐々に近づいていく様子が分かる。なお、図７において、計測開始直後の尿落下位置Ｆにおける尿温が低いのは、排泄前の便器本体２が冷えていることや、排泄開始直後の被験者１の尿温が排泄終了間際の被験者１の尿温（実際の体温に近い尿温）よりも低いこと等に起因するものである。また、図７において、計測終了間際の尿落下位置Ｆにおける尿温が低いのは、被験者１の尿の排泄が終了し、ボウル部２ａの表面温度が下がり始めているためである。
【００５９】
なお、図６には、尿落下位置Ｆが一定である（変化しない）場合を想定した例を示しているが、尿落下位置Ｆは被験者１の排泄中に随時変化するものであっても良い。
【００６０】
制御部５０は、計測終了条件が成立すると（図４のステップＳ１０５でＹｅｓ）、これまでに計測した計測領域Ｐ内の温度から、被験者１の尿温を決定する。具体的には、図７に示すように、これまで計測された計測領域Ｐ内の温度のうち、最も高い温度を被験者１の尿温として決定する。前述の如く、当該最も高い尿温は、被験者１の体温に最も近い温度であるため、当該尿温を被験者１の体温として扱うことができる。
【００６１】
制御部５０は、決定された被験者１の尿温を表示部４０に表示させ、被験者１自身に尿温を報知する。被験者１は、表示部４０に表示された尿温（すなわち、被験者１の体温）から、被験者１自身の体調を確認することができる。
【００６２】
次に、上記数１に示した計測領域Ｐの位置について、一例を示して具体的に説明する。
【００６３】
例えば図８に示すように、ボウル部２ａの表面に座標（左右方向のａ座標及び前後方向のｂ座標）を設定し、当該座標に基づいて計測領域Ｐの位置を特定しても良い。この場合、上記数１の各変数は、例えば以下の数４のように表すことができる。
【００６４】
【数４】
2015114181.tif 000006
【００６５】
ここで、ａ座標についてのノイズ及びｂ座標についてのノイズは、いずれも同じ値としているが、異なる値をとるように設定しても良い。
【００６６】
なお、図８に示した例では、ボウル部２ａの表面に設定された座標に基づいて計測領域Ｐの位置を特定するものとしたが、本発明はこれに限らず、任意の方法で特定することが可能である。例えば、温度計測部１０の上下方向及び左右方向の揺動角度に基づいて、計測領域Ｐの位置を特定しても良い。
【００６７】
以上の如く、本実施形態に係る尿温測定装置５は、
大便器（便器）内に排泄される被験者１の尿の温度を非接触で計測する尿温測定装置５であって、
所定の計測方向に形成される計測領域Ｐ内から放射される赤外線を受光して計測領域Ｐ内の温度を計測する温度計測部１０と、
前記計測方向を変更することで計測領域Ｐを移動させる計測領域移動部２０と、
温度計測部１０による計測領域Ｐ内の温度の計測及び計測領域移動部２０による計測領域Ｐの移動を自動的に複数回繰り返すことで前記大便器内の複数個所の温度を計測し、計測された温度のうち最も高い温度を被験者１の尿の温度として決定する制御部５０と、
を具備するものである。
このように構成することにより、精度の高い尿温の計測を自動的に行うことができる。
すなわち、複数個所の温度を計測し、計測された温度のうち最も高い温度は被験者１の尿温に最も近い温度であると考えられる。このため、当該温度を被験者１の尿温として決定することで、精度の高い尿温の計測を自動的に行うことができる。
また、被験者１の性別、年齢、体型等を問わず、精度の高い尿温の計測が可能となる。さらに、同一の被験者１の姿勢や体調等による変化にも対応して、精度の高い尿温の計測が可能となる。
【００６８】
また、制御部５０は、
生体ゆらぎ理論に基づくノイズを用いて、計測領域Ｐの移動後の位置を決定するものである。
このように構成することにより、計測領域Ｐの位置を、より適切な位置（すなわち、温度の高い位置）へと素早く移動させることができる。
【００６９】
また、前記ノイズは正規分布に従い、
計測領域Ｐの移動後の位置を決定する際に用いられる前記ノイズの分散は、
当該計測領域Ｐの移動の直前に温度計測部１０によって計測された温度が高いほど小さくなると共に、当該温度が低いほど高くなるように設定されるものである。
このように構成することにより、計測領域Ｐの位置を、より高い温度が計測される位置へと素早く移動させることができる。
【００７０】
なお、本発明に係る尿温測定装置を適用することが可能な便器は、本実施形態に係る大便器に限るものではなく、種々の便器（小便器や、異なる形状の大便器等）に適用することも可能である。
【００７１】
また、本発明に係る温度計測部は、所定の計測方向（計測領域）から放射される赤外線を受光して温度を計測することができるものであれば、その構成を本実施形態に係る温度計測部１０に限定するものではない。
【００７２】
また、本発明に係る計測領域移動部は、計測領域を移動させることができるものであれば、その構成を本実施形態に係る計測領域移動部２０に限定するものではない。
【００７３】
また、本発明に係る制御部は、本実施形態に係る制御部５０のように尿温測定装置５専用の部材ではなく、例えば住宅等に設けられるＨＥＭＳ（Ｈｏｍｅ  Ｅｎｅｒｇｙ  Ｍａｎａｇｅｍｅｎｔ  Ｓｙｓｔｅｍ）等で兼用しても良い。
【００７４】
また、本実施形態においては、尿温が初めて計測される際の計測領域Ｐの位置（初期位置）は、予め任意の位置に定めておくものとした。例えば、当該初期位置を、被験者１の尿が落下する可能性が高いと予想される領域に予め設定しておくことも可能である。これによって、計測開始時点から、計測領域Ｐを尿落下位置Ｆの近くに配置することができ、計測精度の向上を図ることができる。なお、このような被験者１の尿が落下する可能性が高いと予測される領域は、予め実験等によって求めておくことや、尿温測定装置５による尿温の計測を繰り返し行うことで、制御部５０に学習させておくこと等が可能である。
【００７５】
また、本実施形態においては、制御部５０は初めから生体ゆらぎ理論（上記数１等参照）を用いて計測領域Ｐを移動させる構成としたが、本発明はこれに限るものではない。例えば、尿温測定装置５による計測が開始されると、制御部５０は予め定められた複数の位置（特に、被験者１の尿が落下する可能性が高いと予想される位置）に計測領域Ｐを移動させ、当該複数の位置の温度を計測し、最も高い温度が計測された位置から、上記生体ゆらぎ理論を用いた計測領域Ｐの移動を開始するように設定しても良い。これによって、計測精度の向上を図ることができる。
【００７６】
また、制御部５０に、前回の尿温の計測時に、最も高い温度が計測された計測領域Ｐの位置を記憶させ、次回の尿温の計測時に、当該記憶された位置を計測領域Ｐの初期位置に設定することも可能である。次回の尿温の計測時も、当該記憶された位置に近い位置で高い温度が計測される可能性が高いため、計測精度の向上を図ることができる。
【００７７】
また、操作部３０に、被験者１個人を特定するための入力装置を設け、複数の被験者１に関するデータを制御部５０に記憶させる構成とすることも可能である。例えば、複数の被験者１ごとに、高い温度が計測された計測領域Ｐの位置のデータを蓄積し、次回の計測領域Ｐの初期位置として利用すること等ができる。この際、複数の被験者１をそれぞれ特定し、当該被験者１ごとにデータを蓄積することで、各被験者１の体格、性別、体調等の差を考慮することができる。
【００７８】
また、本実施形態においては、温度計測部１０は、便器本体２のボウル部２ａに落下した尿の温度を計測するものとしたが、本発明はこれに限るものではない。すなわち、温度計測部１０は、被験者１が排泄してからボウル部２ａの表面に落下するまでの尿の温度を計測しても良い。これによって、ボウル部２ａに接触して温度が低下する前の尿の温度を計測することが可能となる。
【００７９】
また、本実施形態においては、制御部５０は生体ゆらぎ理論（上記数１等参照）を用いて計測領域Ｐを移動させる構成としたが、本発明はこれに限るものではない。例えば、制御部５０は、計測領域Ｐを予め定められた複数の位置に順に移動させ、当該複数の位置の温度を計測し、最も高い温度を被験者１の尿温として決定する構成とすることも可能である。また、制御部５０は、計測領域Ｐを複数の位置にランダムに移動させ、当該複数の位置の温度を計測する構成とすることも可能である。
【符号の説明】
【００８０】
１    被験者
２    便器本体
２ａ  ボウル部
３    ケーシング
４    便座
５    尿温測定装置
１０  温度計測部
２０  計測領域移動部
３０  操作部
４０  表示部
５０  制御部
【図１】
2015114181.tif 000007
【図２】
2015114181.tif 000008
【図３】
2015114181.tif 000009
【図４】
2015114181.tif 000010
【図５】
2015114181.tif 000011
【図６】
2015114181.tif 000012
【図７】
2015114181.tif 000013
【図８】
2015114181.tif 000014